【手続補正書】
【提出日】平成16年12月15日(2004.12.15)
【手続補正１】
【補正対象書類名】明細書
【補正対象項目名】発明の名称
【補正方法】変更
【補正の内容】
【発明の名称】画像通信システム、画像管理サーバ装置、通信装置、それらの制御方法、それらのプログラム及びそれらを記録したコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
通信装置からサーバ装置へネットワーク経由で画像データを通信する画像通信システムであって、
前記通信装置から前記サーバ装置へ低解像度画像データをアップロードする第１アップロード手段と、
前記第１アップロード手段によりアップロードされた低解像度画像データを記憶領域に格納する画像格納手段と、
前記格納手段により格納された低解像度画像データを表示する表示手段と、
前記表示手段により表示された低解像度画像データの中から少なくとも１つを指定する指定手段と、
前記指定された低解像度画像データと対応する高解像度画像データを前記通信装置から前記サーバ装置へアップロードする第２アップロード手段とを有することを特徴とする画像通信システム。
【請求項２】
通信装置から低解像度画像データのアップロードを受け付けるアップロード受付手段と、
前記アップロード受付手段によりアップロードが受け付けられた低解像度画像データを記憶領域に格納する画像格納手段と、
前記格納手段により格納された低解像度画像データが外部装置上で表示されるよう制御する表示制御手段と、
前記表示制御手段により前記外部装置上に表示された低解像度画像データの中から少なくとも１つの指定を受け付ける指定受付手段と、
前記指定受付手段により指定が受け付けられた低解像度画像データと対応する高解像度画像データをアップロードするよう前記通信装置へ指示するアップロード指示手段とを有することを特徴とする画像管理サーバ装置。
【請求項３】
前記指定受付手段は、前記第２アップロード手段により既にアップロードされている高解像度画像データと対応する低解像度画像データの指定を受け付けないことを特徴とする請求項２に記載の画像管理サーバ装置。
【請求項４】
前記通信装置は、画像入力装置と接続されていることを特徴とする請求項２又は請求項３に記載の画像管理サーバ装置。
【請求項５】
前記表示制御手段は、Ｗｅｂブラウズされるよう制御することを特徴とする請求項２乃至請求項４の何れか一項に記載の画像管理サーバ装置。
【請求項６】
低解像度画像データと該低解像度画像データに対応する高解像度画像データとを記憶装置に格納する画像格納手段と、
前記低解像度画像データのアップロードを指示する低解像度画像データアップロード指示手段と、
前記低解像度画像データアップロード指示手段による指示に応答して、前記記憶装置から低解像度画像データを読み出し、ネットワークへ接続して、外部装置へ低解像度画像データをアップロードする低解像度画像データアップロード手段と、
前記高解像度画像データのアップロードを指示する高解像度画像データアップロード指示手段と、
前記記憶装置に記憶された中からアップロードする高解像度画像データの指定を受け付ける高解像度画像データ指定受付手段と、
前記高解像度画像データアップロード指示手段による指示に応答して、前記記憶装置から、前記高解像度画像データ指定受付手段により指定が受け付けられた前記高解像度画像データを読み出し、前記ネットワークへ接続して、前記外部装置へ高解像度画像データをアップロードする高解像度画像データアップロード手段とを備えることを特徴とする通信装置。
【請求項７】
前記ネットワークに対して無線接続されることを特徴とする請求項６に記載の通信装置。
【請求項８】
前記ネットワークに対してダイヤルアップ接続されることを特徴とする請求項６に記載の通信装置。
【請求項９】
画像入力装置と接続されていることを特徴とする請求項６乃至８のいずれか１項に記載の通信装置。
【請求項１０】
通信装置から低解像度画像データのアップロードを受け付けるステップと、
前記アップロードが受け付けられた低解像度画像データを記憶領域に格納するステップと、
前記記憶領域に格納された低解像度画像データが外部装置上で表示されるよう制御するステップと、
前記外部装置上に表示された低解像度画像データの中から少なくとも１つの指定を受け付けるステップと、
前記指定が受け付けられた低解像度画像データと対応する高解像度画像データをアップロードするよう前記通信装置へ指示するステップとを有することを特徴とする画像管理サーバ装置の制御方法。
【請求項１１】
低解像度画像データと該低解像度画像データに対応する高解像度画像データとを記憶装置に格納するステップと、
前記低解像度画像データのアップロードを指示するステップと、
前記低解像度画像データのアップロードの指示に応答して、前記記憶装置から低解像度画像データを読み出し、ネットワークへ接続して、外部装置へ低解像度画像データをアップロードするステップと、
前記高解像度画像データのアップロードを指示するステップと、
前記記憶装置に記憶された中からアップロードする高解像度画像データの指定を受け付けるステップと、
前記高解像度画像データのアップロードの指示に応答して、前記記憶装置から、前記指定が受け付けられた前記高解像度画像データを読み出し、前記ネットワークへ接続して、前記外部装置へ高解像度画像データをアップロードするステップとを有することを特徴とする通信装置の制御方法。
【請求項１２】
通信装置から低解像度画像データのアップロードを受け付けるステップと、
前記アップロードが受け付けられた低解像度画像データを記憶領域に格納するステップと、
前記記憶領域に格納された低解像度画像データが外部装置上で表示されるよう制御するステップと、
前記外部装置上に表示された低解像度画像データの中から少なくとも１つの指定を受け付けるステップと、
前記指定が受け付けられた低解像度画像データと対応する高解像度画像データをアップロードするよう前記通信装置へ指示するステップとを有することを特徴とする制御方法をコンピュータに実行させるためのプログラム。
【請求項１３】
低解像度画像データと該低解像度画像データに対応する高解像度画像データとを記憶装置に格納するステップと、
前記低解像度画像データのアップロードを指示するステップと、
前記低解像度画像データのアップロードの指示に応答して、前記記憶装置から低解像度画像データを読み出し、ネットワークへ接続して、外部装置へ低解像度画像データをアップロードするステップと、
前記高解像度画像データのアップロードを指示するステップと、
前記記憶装置に記憶された中からアップロードする高解像度画像データの指定を受け付けるステップと、
前記高解像度画像データのアップロードの指示に応答して、前記記憶装置から、前記指定が受け付けられた前記高解像度画像データを読み出し、前記ネットワークへ接続して、前記外部装置へ高解像度画像データをアップロードするステップとを備えたことを特徴とする制御方法をコンピュータに実行させるためのプログラム。
【請求項１４】
通信装置から低解像度画像データのアップロードを受け付けるステップと、
前記アップロードが受け付けられた低解像度画像データを記憶領域に格納するステップと、
前記記憶領域に格納された低解像度画像データが外部装置上で表示されるよう制御するステップと、
前記外部装置上に表示された低解像度画像データの中から少なくとも１つの指定を受け付けるステップと、
前記指定が受け付けられた低解像度画像データと対応する高解像度画像データをアップロードするよう前記通信装置へ指示するステップとを有することを特徴とする制御方法を実行させるためのプログラムを記録したコンピュータ読み取り可能な記録媒体。
【請求項１５】
低解像度画像データと該低解像度画像データに対応する高解像度画像データとを記憶装置に格納するステップと、
前記低解像度画像データのアップロードを指示するステップと、
前記低解像度画像データのアップロードの指示に応答して、前記記憶装置から低解像度画像データを読み出し、ネットワークへ接続して、外部装置へ低解像度画像データをアップロードするステップと、
前記高解像度画像データのアップロードを指示するステップと、
前記記憶装置に記憶された中からアップロードする高解像度画像データの指定を受け付けるステップと、
前記高解像度画像データのアップロードの指示に応答して、前記記憶装置から、前記指定が受け付けられた前記高解像度画像データを読み出し、前記ネットワークへ接続して、前記外部装置へ高解像度画像データをアップロードするステップとを有することを特徴とする制御方法を実行させるためのプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、通信装置からサーバ装置へネットワーク経由で画像データを通信する画像通信システム、画像管理サーバ装置、通信装置、それらの制御方法、それらのプログラム及びそれらを記録したコンピュータ読み取り可能な記録媒体に関する。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
本発明は、通信装置からサーバ装置へネットワーク経由で画像データを通信する場合に、不要な画像データを通信しないようにして、通信コストを削減するための画像通信システム、画像管理サーバ装置、通信装置、それらの制御方法、それらのプログラム及びそれらを記録したコンピュータ読み取り可能な記録媒体を提供することを目的とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
【課題を解決するための手段】
上記目的を達成するために、本発明は、通信装置からサーバ装置へネットワーク経由で画像データを通信する画像通信システムであって、前記通信装置から前記サーバ装置へ低解像度画像データをアップロードする第１アップロード手段と、前記第１アップロード手段によりアップロードされた低解像度画像データを記憶領域に格納する画像格納手段と、前記格納手段により格納された低解像度画像データを表示する表示手段と、前記表示手段により表示された低解像度画像データの中から少なくとも１つを指定する指定手段と、前記指定された低解像度画像データと対応する高解像度画像データを前記通信装置から前記サーバ装置へアップロードする第２アップロード手段とを有することを特徴とする。
また、本発明の画像管理サーバ装置は、通信装置から低解像度画像データのアップロードを受け付けるアップロード受付手段と、前記アップロード受付手段によりアップロードが受け付けられた低解像度画像データを記憶領域に格納する画像格納手段と、前記格納手段により格納された低解像度画像データが外部装置上で表示されるよう制御する表示制御手段と、前記表示制御手段により前記外部装置上に表示された低解像度画像データの中から少なくとも１つの指定を受け付ける指定受付手段と、前記指定受付手段により指定が受け付けられた低解像度画像データと対応する高解像度画像データをアップロードするよう前記通信装置へ指示するアップロード指示手段とを有することを特徴とする。
更に、本発明の通信装置は、低解像度画像データと該低解像度画像データに対応する高解像度画像データとを記憶装置に格納する画像格納手段と、前記低解像度画像データのアップロードを指示する低解像度画像データアップロード指示手段と、前記低解像度画像データアップロード指示手段による指示に応答して、前記記憶装置から低解像度画像データを読み出し、ネットワークへ接続して、外部装置へ低解像度画像データをアップロードする低解像度画像データアップロード手段と、前記高解像度画像データのアップロードを指示する高解像度画像データアップロード指示手段と、前記記憶装置に記憶された中からアップロードする高解像度画像データの指定を受け付ける高解像度画像データ指定受付手段と、前記高解像度画像データアップロード指示手段による指示に応答して、前記記憶装置から、前記高解像度画像データ指定受付手段により指定が受け付けられた前記高解像度画像データを読み出し、前記ネットワークへ接続して、前記外部装置へ高解像度画像データをアップロードする高解像度画像データアップロード手段とを備えることを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００８０
【補正方法】削除
【補正の内容】
【手続補正１１】
【補正対象書類名】明細書
【補正対象項目名】００８１
【補正方法】変更
【補正の内容】
【００８１】
【発明の効果】
以上説明したように、本発明によれば、通信装置からサーバ装置へネットワーク経由で画像データを通信する場合に、不要な画像データを通信しないようにして、通信コストを削減することができる。